【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
ポンプであって、
内部域を画定し、前記内部域と流体連通する第１のポートと、前記内部域と流体連通する第２のポートを含むケーシングと、
前記内部域内に配置され、第１のギヤ本体と複数の第１のギヤ歯を有する第１のギヤと、
前記内部域内に配置され、第２のギヤ本体及び前記第２のギヤ本体から径方向外側に突出する複数の第２のギヤ歯を有し、前記複数の第２のギヤ歯の少なくとも１つの歯の第２の面が前記複数の第１のギヤ歯の少なくとも１つの歯の第１の面と整列するように配置される第２のギヤと、
前記第１のギヤを前記第１のギヤの第１の軸方向中央線の周りで第１の方向に回転させ、流体を第１の流路に沿って前記第１のポートから前記第２のポートへ移動させる第１のモータと、
前記第２のギヤを前記第１のモータから独立して、前記第２のギヤの第２の軸方向中央線の周りで第２の方向に回転させ、前記第２の面を前記第１の面に接触させて前記流体を第２の流路に沿って前記第１のポートから前記第２のポートへ移動させる第２のモータとを備え、
前記第１のギヤ本体は前記第１のモータを収容するための前記第１の軸方向中央線に沿った第１の円筒形の開口を含み、
前記第１のモータはアウターロータ型モータであって前記第１の円筒形の開口内に配置され、前記第１のモータは第１の回転子を備え、
前記第１の回転子は前記第１のギヤと結合され、前記第１のギヤを前記第１の軸方向中央線の周りで前記第１の方向に回転させる、ポンプ。
【請求項２】
前記第２のギヤ本体は前記第２のモータを収容するための前記第２の軸方向中央線に沿った第２の円筒形の開口を含み、
前記第２のモータはアウターロータ型モータであって前記第２の円筒形の開口内に配置され、前記第２のモータは第２の回転子を備え、
前記第２の回転子は前記第２のギヤと結合され、前記第２のギヤを前記第２の軸方向中央線の周りで前記第２の方向に回転させる、請求項１に記載のポンプ。
【請求項３】
前記第２のモータは、モータシャフトが第２の回転子と共に回転するように前記モータシャフトに結合される前記第２の回転子を備えるインナーロータ型モータであり、
前記モータシャフトは前記第２のギヤと結合されて前記第２のギヤを前記第２の軸方向中央線の周りで前記第２の方向に回転させる、請求項１に記載のポンプ。
【請求項４】
前記第２のモータは前記内部域内に配置される、請求項３に記載のポンプ。
【請求項５】
前記第２のモータは前記ケーシングの外側に配置される、請求項３に記載のポンプ。
【請求項６】
前記ポンプのすべり係数が５％以下になるように、前記接触は前記第２のポートと前記第１のポートとの間の流体路を封止する、請求項１乃至５のいずれか１項に記載のポンプ。
【請求項７】
前記流体は液圧流体である、請求項１乃至６のいずれか１項に記載のポンプ。
【請求項８】
前記流体は水である、請求項１乃至６のいずれか１項に記載のポンプ。
【請求項９】
前記ポンプは１ｒｐｍから５０００ｒｐｍの範囲で動作する、請求項１乃至８のいずれか１項に記載のポンプ。
【請求項１０】
前記第１のモータ及び前記第２のモータは双方向である、請求項１乃至９のいずれか１項に記載のポンプ。
【請求項１１】
前記第１のモータ及び前記第２のモータは可変速度のモータである、請求項１乃至１０のいずれか１項に記載のポンプ。
【請求項１２】
流体をポンプの第１のポートから第２のポートへ移動させる方法であって、前記ポンプは中に内部域を画定するポンプケーシングを含み、更に第１のモータ、第２のモータ、複数の第１のギヤ歯を有する第１のギヤ、複数の第２のギヤ歯を有する第２のギヤを含み、前記方法は、
前記第１のモータを回転させ、前記第１のギヤを前記第１のギヤの第１の軸方向中央線の周りで第１の方向に回転させて、流体を第１の流路に沿って前記第１のポートから前記第２のポートへ移動させる、前記第１のモータを回転させるステップと、
前記第２のモータを、前記第１のモータから独立して回転させ、前記第２のギヤを前記第２のギヤの第２の軸方向中央線の周りで第２の方向に回転させて、前記流体を第２の流路に沿って前記第１のポートから前記第２のポートへ移動させる、前記第２のモータを回転させるステップと、
前記第２のギヤの速度を前記第１のギヤの速度の９９％から１００％の範囲で同期させるステップと、
前記複数の第２のギヤ歯の少なくとも１つの歯の面と前記複数の第１のギヤ歯の少なくとも１つの歯の面との間を同期接触させるステップと、
前記第１のギヤのギヤ本体の前記第１の軸方向中央線に沿って第１の円筒形の開口を設けるステップと、
前記第１のモータを前記第１の円筒形の開口内に配置するステップと、
前記第１のモータの第１の回転子を前記第１のギヤに結合させるステップと、
前記第１のギヤを前記第１の軸方向中央線の周りで前記第１の方向に回転させるステップとを備え、
前記第１のモータはアウターロータ型モータである、方法。
【請求項１３】
前記第２のギヤのギヤ本体の前記第２の軸方向中央線に沿って第２の円筒形の開口を設けるステップと、
前記第２のモータを前記第２の円筒形の開口内に配置するステップと、
前記第２のモータの第２の回転子を前記第２のギヤに結合させるステップと、
前記第２のギヤを前記第２の軸方向中央線の周りで前記第１の方向に回転させるステップとを更に備え、
前記第２のモータはアウターロータ型モータである、請求項１２に記載の方法。
【請求項１４】
前記ポンプのすべり係数が５％以下になるように、前記接触は前記第２のポートと前記第１のポートとの間の流体路を封止する、請求項１２または１３に記載の方法。
【請求項１５】
液圧流体をポンピングするステップを更に備える、請求項１２乃至１４のいずれか１項に記載の方法。
【請求項１６】
水をポンピングするステップを更に備える、請求項１２乃至１４のいずれか１項に記載の方法。
【請求項１７】
前記ポンピングは１ｒｐｍから５０００ｒｐｍの動作範囲でなされる、請求項１２乃至１６のいずれか１項に記載の方法。
【請求項１８】
前記第１のモータ及び前記第２のモータはどちらかの方向に回転され得る、請求項１２乃至１７のいずれか１項に記載の方法。
【請求項１９】
前記第１のモータ及び前記第２のモータは可変速度である、請求項１２乃至１８のいずれか１項に記載の方法。
【手続補正２】
【補正対象書類名】明細書
【補正対象項目名】発明の名称
【補正方法】変更
【補正の内容】
【発明の名称】ポンプ、及び流体をポンプの第１のポートから第２のポートへ移動させる方法
【手続補正３】
【補正対象書類名】明細書
【補正対象項目名】００６５
【補正方法】変更
【補正の内容】
【００６５】
[0070]本発明は特定の実施形態を参照して開示されたが、添付の請求項で規定する通り、記載された実施形態への多数の修正、変形及び変化が本発明の領域及び範囲から逸脱せずに可能である。従って、本発明は記載された実施形態に限定されないが、以下の請求項及びその均等物の文言により規定された全範囲を有することが意図される。
（項目１）
ポンプであって、
内部域を画定し、前記内部域と流体連通する第１のポートと、前記内部域と流体連通する第２のポートを含むケーシングと、
前記内部域内に配置され、第１のギヤ本体と複数の第１のギヤ歯を有する第１のギヤと、
前記内部域内に配置され、第２のギヤ本体及び前記第２のギヤ本体から径方向外側に突出する複数の第２のギヤ歯を有し、前記複数の第２のギヤ歯の少なくとも１つの歯の第２の面が前記複数の第１のギヤ歯の少なくとも１つの歯の第１の面と整列するように配置される第２のギヤと、
前記第１のギヤを前記第１のギヤの第１の軸方向中央線の周りで第１の方向に回転させ、流体を第１の流路に沿って前記第１のポートから前記第２のポートへ移動させる第１のモータと、
前記第２のギヤを前記第１のモータから独立して、前記第２のギヤの第２の軸方向中央線の周りで第２の方向に回転させ、前記第２の面を前記第１の面に接触させて前記流体を第２の流路に沿って前記第１のポートから前記第２のポートへ移動させる第２のモータとを備えるポンプ。
（項目２）
前記第１のギヤ本体は前記第１のモータを収容するための前記第１の軸方向中央線に沿った第１の円筒形の開口を含み、
前記第１のモータはアウターロータ型モータであって前記第１の円筒形の開口内に配置され、前記第１のモータは第１の回転子を備え、
前記第１の回転子は前記第１のギヤと結合され、前記第１のギヤを前記第１の軸方向中央線の周りで前記第１の方向に回転させる、項目１に記載のポンプ。
（項目３）
前記第１のモータは、第１のモータシャフトが第１の回転子と共に回転するように前記第１のモータシャフトに結合される前記第１の回転子を備えるインナーロータ型モータであり、
前記第１のモータシャフトは前記第１のギヤと結合されて前記第１のギヤを前記第１の軸方向中央線の周りで前記第１の方向に回転させる、項目１に記載のポンプ。
（項目４）
前記第２のギヤ本体は前記第２のモータを収容するための前記第２の軸方向中央線に沿った第２の円筒形の開口を含み、前記第２のモータはアウターロータ型モータであって前記第２の円筒形の開口内に配置され、前記第２のモータは第２の回転子を備え、
前記第２の回転子は前記第２のギヤと結合され、前記第２のギヤを前記第２の軸方向中央線の周りで前記第２の方向に回転させる、項目２に記載のポンプ。
（項目５）
前記第２のモータは、モータシャフトが第２の回転子と共に回転するように前記モータシャフトに結合される前記第２の回転子を備えるインナーロータ型モータであり、
前記モータシャフトは前記第２のギヤと結合されて前記第２のギヤを前記第２の軸方向中央線の周りで前記第２の方向に回転させる、項目２に記載のポンプ。
（項目６）
前記第２のモータは前記内部域内に配置される、項目５に記載のポンプ。
（項目７）
前記第２のモータは前記ケーシングの外側に配置される、項目５に記載のポンプ。
（項目８）
前記第２のモータは、第２のモータシャフトが第２の回転子と共に回転するように前記第２のモータシャフトに結合される前記第２の回転子を備えるインナーロータ型モータであり、
前記第２のモータシャフトは前記第２のギヤと結合されて前記第２のギヤを前記第２の軸方向中央線の周りで前記第２の方向に回転させる、項目３に記載のポンプ。
（項目９）
前記第１のモータ及び前記第２のモータは前記内部域内に配置される、項目８に記載のポンプ。
（項目１０）
前記第１のモータは前記内部域内に配置され、前記第２のモータは前記ケーシングの外側に配置される、項目８に記載のポンプ。
（項目１１）
前記第１のモータ及び前記第２のモータは前記ケーシングの外側に配置される、項目８に記載のポンプ。
（項目１２）
前記第２の方向は前記第１の方向と反対である、項目１に記載のポンプ。
（項目１３）
前記第２の方向は前記第１の方向と同じである、項目１に記載のポンプ。
（項目１４）
前記第１の流路及び前記第２の流路は同じ流路である、項目１に記載のポンプ。
（項目１５）
前記第１の流路及び前記第２の流路は異なる流路である、項目１に記載のポンプ。
（項目１６）
前記接触は前記第２のポートと前記第１のポートとの間の流体路を実質的に封止する、項目１に記載のポンプ。
（項目１７）
前記流体は液圧流体である、項目１に記載のポンプ。
（項目１８）
前記流体は水である、項目１に記載のポンプ。
（項目１９）
前記ポンプは１ｒｐｍから５０００ｒｐｍの範囲で動作する、項目１７に記載のポンプ。
（項目２０）
前記ポンプは１ｒｐｍから５０００ｒｐｍの範囲で動作する、項目１８に記載のポンプ。
（項目２１）
前記第１のモータ及び前記第２のモータは双方向である、項目１に記載のポンプ。
（項目２２）
前記第１のモータ及び前記第２のモータは可変速度のモータである、項目１に記載のポンプ。
（項目２３）
前記第１のモータ及び前記第２のモータは互いに異なる速度で動作され得る、項目１に記載のポンプ。
（項目２４）
前記第１のギヤ及び前記第２のギヤの少なくとも１つは金属材料で作製される、項目１に記載のポンプ。
（項目２５）
前記第１のギヤ及び前記第２のギヤの少なくとも１つは非金属材料で作製される、項目１に記載のポンプ。
（項目２６）
前記金属材料は、鋼鉄、ステンレス鋼、陽極酸化アルミ、アルミニウム、チタン、マグネシウム、真ちゅう及びそれら各々の合金の少なくとも１つを備える、項目２４に記載のポンプ。
（項目２７）
前記非金属材料は、セラミック、プラスチック、複合材料、炭素繊維、ナノ複合材料、ゴム及びエラストマーの少なくとも１つを備える、項目２５に記載のポンプ。
（項目２８）
流体をポンプの第１のポートから第２のポートへ移動させる方法であって、前記ポンプは中に内部域を画定するポンプケーシングを含み、更に第１のモータ、第２のモータ、複数の第１のギヤ歯を有する第１のギヤ、複数の第２のギヤ歯を有する第２のギヤを含み、前記方法は、
前記第１のモータを回転させ、前記第１のギヤを前記第１のギヤの第１の軸方向中央線の周りで第１の方向に回転させて、流体を第１の流路に沿って前記第１のポートから前記第２のポートへ移動させる、前記第１のモータを回転させるステップと、
前記第２のモータを、前記第１のモータから独立して回転させ、前記第２のギヤを前記第２のギヤの第２の軸方向中央線の周りで第２の方向に回転させて、前記流体を第２の流路に沿って前記第１のポートから前記第２のポートへ移動させる、前記第２のモータを回転させるステップと、
前記第２のギヤの速度を前記第１のギヤの速度の９９％から１００％の範囲で同期させるステップと、
前記複数の第２のギヤ歯の少なくとも１つの歯の面と前記複数の第１のギヤ歯の少なくとも１つの歯の面との間を同期接触させるステップと、を備える方法。
（項目２９）
前記第１のギヤのギヤ本体の前記第１の軸方向中央線に沿って第１の円筒形の開口を設けるステップと、
前記第１のモータを前記第１の円筒形の開口内に配置するステップと、
前記第１のモータの第１の回転子を前記第１のギヤに結合させるステップと、
前記第１のギヤを前記第１の軸方向中央線の周りで前記第１の方向に回転させるステップとを更に備え、
前記第１のモータはアウターロータ型モータである、項目２８に記載の方法。
（項目３０）
前記第１のモータの第１のモータシャフトを前記第１のギヤに結合させるステップと、
前記第１のギヤを前記第１の軸方向中央線の周りで前記第１の方向に回転させるステップとを更に備え、
前記第１のモータはインナーロータ型モータである、項目２８に記載の方法。
（項目３１）
前記第２のギヤのギヤ本体の前記第２の軸方向中央線に沿って第２の円筒形の開口を設けるステップと、
前記第２のモータを前記第２の円筒形の開口内に配置するステップと、
前記第２のモータの第２の回転子を前記第２のギヤに結合させるステップと、
前記第２のギヤを前記第２の軸方向中央線の周りで前記第１の方向に回転させるステップとを更に備え、
前記第２のモータはアウターロータ型モータである、項目２９に記載の方法。
（項目３２）
前記第２のモータの第２のモータシャフトを前記第２のギヤに結合させるステップと、
前記第２のギヤを前記第２の軸方向中央線の周りで前記第２の方向に回転させるステップとを更に備え、
前記第２のモータはインナーロータ型モータである、項目２９に記載の方法。
（項目３３）
前記第２のモータを前記内部域内に配置するステップを更に備える、項目３２に記載の方法。
（項目３４）
前記第２のモータを前記ケーシングの外側に配置するステップを更に備える、項目３２に記載の方法。
（項目３５）
前記第２のモータの第２のモータシャフトを前記第２のギヤに結合させるステップと、
前記第２のギヤを前記第２の軸方向中央線の周りで前記第２の方向に回転させるステップとを更に備え、
前記第２のモータはインナーロータ型モータである、項目３０に記載の方法。
（項目３６）
前記第１のモータ及び前記第２のモータを前記内部域内に配置するステップを更に備える、項目３５に記載の方法。
（項目３７）
前記第１のモータを前記内部域内に配置するステップと、
前記第２のモータを前記ケーシングの外側に配置するステップとを更に備える、項目３５に記載の方法。
（項目３８）
前記第１のモータ及び前記第２のモータを前記ケーシングの外側に配置するステップを更に備える、項目３５に記載の方法。
（項目３９）
前記接触は前記第２のポートと前記第１のポートとの間の流体路を実質的に封止する、項目２８に記載の方法。
（項目４０）
液圧流体をポンピングするステップを更に備える、項目２８に記載の方法。
（項目４１）
水をポンピングするステップを更に備える、項目２８に記載の方法。
（項目４２）
前記ポンピングは１ｒｐｍから５０００ｒｐｍの動作範囲でなされる、項目４０に記載の方法。
（項目４３）
前記ポンピングは１ｒｐｍから５０００ｒｐｍの動作範囲でなされる、項目４１に記載の方法。
（項目４４）
前記第２の方向は前記第１の方向と反対である、項目２８に記載の方法。
（項目４５）
前記第２の方向は前記第１の方向と同じである、項目２８に記載の方法。
（項目４６）
前記第１の流路及び前記第２の流路は同じ流路である、項目２８に記載の方法。
（項目４７）
前記第１の流路及び前記第２の流路は異なる流路である、項目２８に記載の方法。
（項目４８）
前記第１のモータ及び前記第２のモータはどちらかの方向に回転され得る、項目２８に記載の方法。
（項目４９）
前記第１のモータ及び前記第２のモータは可変速度である、項目２８に記載の方法。
（項目５０）
ポンプであって、
内部域を画定し、前記内部域と流体連通する第１のポートと、前記内部域と流体連通する第２のポートとを含むケーシングと、
第１の流体ドライバとを備え、前記第１の流体ドライバは、
前記内部域内に配置され、複数の第１の突出部を有する第１の流体置換部材と、
前記第１の流体置換部材を前記第１の流体置換部材の第１の軸方向中央線の周りで第１の方向に回転させて、流体を第１の流路に沿って前記第１のポートから前記第２のポートへ移動させる第１の原動機とを含み、
前記ポンプは更に、
第２の流体ドライバを備え、前記第２の流体ドライバは、
前記内部域内に配置され、複数の第２の突出部及び複数の窪みの少なくとも１つを有する第２の流体置換部材であって、前記複数の第１の突出部の少なくとも１つの第１の表面が前記複数の第２の突出部の少なくとも１つの第２の表面又は前記複数の窪みの少なくとも１つの第３の表面と整列するように配置される第２の流体置換部材と、
前記第２の流体置換部材を、前記第１の原動機から独立して、前記第２の流体置換部材の第２の軸方向中央線の周りで第２の方向に回転させ、前記第１の表面を前記対応する第２の表面又は第３の表面に接触させて前記流体を第２の流路に沿って前記第１のポートから前記第２のポートへ移動させる第２の原動機を含む、ポンプ。
（項目５１）
前記第２の方向は前記第１の方向と反対である、項目５０に記載のポンプ。
（項目５２）
前記第２の方向は前記第１の方向と同じである、項目５０に記載のポンプ。
（項目５３）
前記第１の流路及び前記第２の流路は同じ流路である、項目５０に記載のポンプ。
（項目５４）
前記第１の流路及び前記第２の流路は異なる流路である、項目５０に記載のポンプ。
（項目５５）
前記接触は前記第２のポートと前記第１のポートとの間の流体路を実質的に封止する、項目５０に記載のポンプ。
（項目５６）
前記流体は液圧流体である、項目５０に記載のポンプ。
（項目５７）
前記流体は水である、項目５０に記載のポンプ。
（項目５８）
前記ポンプは１ｒｐｍから５０００ｒｐｍの範囲で動作する、項目５６に記載のポンプ。
（項目５９）
前記ポンプは１ｒｐｍから５０００ｒｐｍの範囲で動作する、項目５７に記載のポンプ。
（項目６０）
前記第１の原動機及び前記第２の原動機は双方向である、項目５０に記載のポンプ。
（項目６１）
前記第１の原動機及び前記第２の原動機は可変速度である、項目５０に記載のポンプ。
（項目６２）
前記第１の原動機及び前記第２の原動機は互いに異なる速度で動作され得る、項目５０に記載のポンプ。
（項目６３）
流体をポンプの第１のポートから第２のポートへ移動させる方法であって、前記ポンプは中に内部域を画定するポンプケーシングを含み、更に第１の原動機、第２の原動機、複数の第１の突出部を有する第１の流体置換部材及び複数の第２の突出部及び複数の窪みの少なくとも１つを有する第２の流体置換部材を含み、前記方法は、
前記第１の原動機を回転させて、前記第１の流体置換部材を第１の方向に回転させて流体を第１の流路に沿って前記第１のポートから前記第２のポートへ移動させる、第１の原動機を回転させるステップと、
前記第２の原動機を前記第１の原動機から独立して回転させて、前記第２の流体置換部材を第２の方向に回転させて前記流体を第２の流路に沿って前記第１のポートから前記第２のポートへ移動させる、第２の原動機を回転させるステップと、
前記第２の流体置換部材の速度を前記第１の流体置換部材の速度の９９％から１００％の範囲に同期させるステップと、
前記複数の第１の突出部の少なくとも１つの表面が前記複数の第２の突出部の少なくとも１つの表面又は前記複数の窪みの少なくとも１つの表面と接触するように、前記第１の置換部材と前記第２の置換部材との間を同期接触させるステップとを備える方法。
（項目６４）
前記接触は前記第２のポートと前記第１のポートとの間の流体路を実質的に封止する、項目６３に記載の方法。
（項目６５）
液圧流体をポンピングするステップを更に備える、項目６３に記載の方法。
（項目６６）
水をポンピングするステップを更に備える、項目６３に記載の方法。
（項目６７）
前記ポンピングは１ｒｐｍから５０００ｒｐｍの動作範囲でなされる、項目６５に記載の方法。
（項目６８）
前記ポンピングは１ｒｐｍから５０００ｒｐｍの動作範囲でなされる、項目６６に記載の方法。
（項目６９）
前記第２の方向は前記第１の方向と反対である、項目６３に記載の方法。
（項目７０）
前記第２の方向は前記第１の方向と同じである、項目６３に記載の方法。
（項目７１）
前記第１の流路及び前記第２の流路は同じ流路である、項目６３に記載の方法。
（項目７２）
前記第１の流路及び前記第２の流路は異なる流路である、項目６３に記載の方法。
（項目７３）
前記第１の原動機及び前記第２の原動機はどちらかの方向に回転され得る、項目６３に記載の方法。
（項目７４）
前記第１の原動機及び前記第２の原動機は可変速度である、項目６３に記載の方法。
（項目７５）
流体ドライバであって、
サポートシャフトと、
前記サポートシャフトに固定して連結される固定子と、
前記固定子の径方向外側から前記固定子を囲む回転子と、
前記回転子の径方向外側に配置され、前記回転子により支持される外部支持部材と、
前記外部支持部材から径方向外側に突出する複数のギヤ歯を有し、前記外部支持により支持されるギヤとを備える流体ドライバ。
（項目７６）
流体ドライバであって、
サポートシャフトと、
前記サポートシャフトに固定して連結される固定子と、
前記固定子の径方向外側から前記固定子を囲む回転子と、
前記回転子から径方向外側に突出する複数のギヤ歯を有し、前記回転子により支持されるギヤとを備える流体ドライバ。
（項目７７）
流体をポンプの入口から出口まで搬送する方法であって、前記ポンプは中に内部域を画定するケーシングと、第１の流体ドライバ及び第２の流体ドライバとを有し、前記方法は、
前記第１の流体ドライバを第１の方向に回転可能に駆動するステップと、
前記第２の流体ドライバを前記第１の流体ドライバから独立して第２の方向に回転可能に同時に駆動するステップとを備える方法。
（項目７８）
前記第１の流体ドライバと前記第２の流体ドライバとの間を同期接触させるステップを更に備える、項目７７に記載の方法。
（項目７９）
前記第２の方向は前記第１の方向と反対である、項目７８に記載の方法。
（項目８０）
前記第２の方向は前記第１の方向と同じである、項目７８に記載の方法。
（項目８１）
流体をポンプの入口から出口まで搬送する方法であって、前記ポンプは中に内部域を画定するケーシングと、第１の流体ドライバ及び第２の流体ドライバとを有し、前記方法は、
前記第１の流体ドライバ及び前記第２の流体ドライバを互いに反対方向に回転させるステップと、
前記第１の流体ドライバと前記第２の流体ドライバとの間を同期接触させるステップを備える方法。
（項目８２）
前記同期接触は前記第２の流体ドライバの速度を前記第１の流体ドライバの速度の９９％から１００％の範囲に同期させるステップを備える、項目８１に記載の方法。
（項目８３）
流体をポンプの入口から出口まで搬送する方法であって、前記ポンプは中に内部域を画定するケーシングと、第１の流体ドライバ及び第２の流体ドライバとを有し、前記方法は、
前記第１の流体ドライバ及び前記第２の流体ドライバを互いに同じ方向に回転させるステップと、
前記第１の流体ドライバと前記第２の流体ドライバとの間を同期接触させるステップを備える方法。
（項目８４）
前記同期接触は前記第２の流体ドライバの速度を前記第１の流体ドライバの速度の９９％から１００％の範囲に同期させるステップを備える、項目８３に記載の方法。
（項目８５）
流体をポンプの入口から出口まで搬送する方法であって、前記ポンプは中に内部域を画定するケーシングと、第１の流体置換部材及び第２の流体置換部材とを有し、前記方法は、
前記第１の流体置換部材及び前記第２の流体置換部材を互いに反対方向に回転させるステップと、
前記第１の流体置換部材と前記第２の流体置換部材との間を同期接触させるステップを備える方法。
（項目８６）
前記同期接触は前記第２の流体置換部材の速度を前記第１の流体置換部材の速度の９９％から１００％の範囲に同期させるステップを備える、項目８５に記載の方法。
（項目８７）
流体をポンプの入口から出口まで搬送する方法であって、前記ポンプは中に内部域を画定するケーシングと、第１の流体置換部材及び第２の流体置換部材とを有し、前記方法は、
前記第１の流体置換部材及び前記第２の流体置換部材を互いに同じ方向に回転させるステップと、
前記第１の流体置換部材と前記第２の流体置換部材との間を同期接触させるステップを備える方法。
（項目８８）
前記同期接触は前記第２の流体置換部材の速度を前記第１の流体置換部材の速度の９９％から１００％の範囲に同期させるステップを備える、項目８７に記載の方法。